(57)【特許請求の範囲】
【請求項１】
スマートデバイスが通信事業者ネットワークに接続できるようにするための通信事業者ネットワーク接続方法であって、
スマートデバイスに内蔵された仮想ＳＩＭカードを通じて周囲をカバーしている使える通信事業者ネットワークを検出するステップ、
検出された通信事業者ネットワーク情報をサーバにアップロードし、前記通信事業者ネットワーク情報は、サーバが当該通信事業者ネットワークに対応するローカル仮想ＳＩＭカードを配布する権限があるか否かを判断させるものであるステップと、
前記サーバが当該通信事業者ネットワークに対応するローカル仮想ＳＩＭカードを配布する権限があると判断した場合に、前記サーバにより配布され、且つ前記通信事業者ネットワークに対応するローカル仮想ＳＩＭカードを受信するステップと、
前記ローカル仮想ＳＩＭカードに基づいて前記通信事業者ネットワークに接続するステップと
を含むことを特徴とする通信事業者ネットワーク接続方法。
【請求項２】
検出された通信事業者ネットワーク情報をサーバにアップロードするステップの前に、
所定のオプション機能がオンにされているか否かを判断するステップと、
前記所定のオプション機能がオンにされている場合、検出された前記通信事業者ネットワーク情報をサーバにアップロードするステップと
を含むことを特徴とする請求項１に記載の通信事業者ネットワーク接続方法。
【請求項３】
検出された通信事業者ネットワーク情報をサーバにアップロードするステップは、
デバイスに内蔵された仮想ＳＩＭカードを通じて前記サーバとリモート接続を構築するステップと、
構築された前記リモート接続に基づいて、検出された前記通信事業者ネットワーク情報を前記サーバにアップロードするステップと
を含み、
前記デバイスに内蔵された仮想ＳＩＭカードは、前記サーバにアクセスする能力のみを有するように予め構成される
ことを特徴とする請求項１に記載の通信事業者ネットワーク接続方法。
【請求項４】
検出された通信事業者ネットワーク情報をサーバにアップロードするステップは、
デバイスに内蔵されたＷＩＦＩチップを通じて、カバーしている範囲内のＷＩＦＩネットワークに接続し、当該ＷＩＦＩネットワークを通じて前記サーバとリモート接続を構築するステップと、
構築された前記リモート接続に基づいて、検出された通信事業者ネットワーク情報を前記サーバにアップロードするステップと
を含むことを特徴とする請求項１に記載の通信事業者ネットワーク接続方法。
【請求項５】
前記所定のオプション機能がオフにされているか、またはカバーしている前記通信事業者ネットワークにローミングが発生していることが検出された場合、受信された前記ローカル仮想ＳＩＭカードを削除し、前記サーバに当該ローカル仮想ＳＩＭカードの回収を要求する旨の通知メッセージ送信するステップをさらに含むことを特徴とする請求項２に記載の通信事業者ネットワーク接続方法。
【請求項６】
スマートデバイスが通信事業者ネットワークに接続できるようにするための通信事業者ネットワーク接続装置であって、
デバイスに内蔵された仮想ＳＩＭカードを通じて周囲をカバーしている使える通信事業者ネットワークを検出するための検出モジュールと
検出された通信事業者ネットワーク情報をサーバにアップロードし、前記通信事業者ネットワーク情報は、サーバが当該通信事業者ネットワークに対応するローカル仮想ＳＩＭカードを配布する権限があるか否かを判断させるものであるアップロードモジュールと、
前記サーバが当該通信事業者ネットワークに対応するローカル仮想ＳＩＭカードを配布する権限があると判断した場合に、前記サーバにより配布され、且つ前記通信事業者ネットワークに対応するローカル仮想ＳＩＭカードを受信するための受信モジュールと、
前記ローカル仮想ＳＩＭカードに基づいて前記通信事業者ネットワークに接続するための接続モジュールと
を備えることを特徴とする通信事業者ネットワーク接続装置。
【請求項７】
所定のオプション機能がオンにされているか否かを判断して、前記所定のオプション機能がオンにされている場合、前記アップロードモジュールを介して、検出モジュールにより検出された前記通信事業者ネットワーク情報をサーバにアップロードするための判断モジュールと
をさらに備えることを特徴とする請求項６に記載の通信事業者ネットワーク接続装置。
【請求項８】
前記アップロードモジュールは、
デバイスに内蔵された仮想ＳＩＭカードを通じて前記サーバとリモート接続を構築するための第１構築サブモジュールと、
構築された前記リモート接続に基づいて、検出された前記通信事業者ネットワーク情報を前記サーバにアップロードするための第１アップロードサブモジュールと
を備え、
前記デバイスに内蔵された仮想ＳＩＭカードは、前記サーバにアクセスする能力のみを有するように予め構成される
ことを特徴とする請求項６に記載の通信事業者ネットワーク接続装置。
【請求項９】
前記アップロードモジュールは、
デバイスに内蔵されたＷＩＦＩチップを通じて、カバーしている範囲内のＷＩＦＩネットワークに接続するための接続サブモジュールと、
前記ＷＩＦＩネットワークを通じて前記サーバとリモート接続を構築するための第２構築サブモジュールと、
構築された前記リモート接続に基づいて、検出された通信事業者ネットワーク情報を前記サーバにアップロードするための第２アップロードサブモジュールと
を備えることを特徴とする請求項６に記載の通信事業者ネットワーク接続装置。
【請求項１０】
前記所定のオプション機能がオフにされているか、またはカバーしている前記通信事業者ネットワークにローミングが発生していることが検出された場合、受信された前記ローカル仮想ＳＩＭカードを削除し、前記サーバに当該ローカル仮想ＳＩＭカードの回収を要求する旨の通知メッセージ送信するための削除モジュールをさらに備えることを特徴とする請求項７に記載の通信事業者ネットワーク接続装置。
【請求項１１】
スマートデバイスが通信事業者ネットワークに接続できるようにするための通信事業者ネットワーク接続装置であって、
プロセッサと、
前記プロセッサにより実行可能なインストラクションを記憶するためのメモリと
を備え、
前記プロセッサは、
スマートデバイスに内蔵された仮想ＳＩＭカードを通じて周囲をカバーしている使える通信事業者ネットワークを検出し、
検出された通信事業者ネットワーク情報をサーバにアップロードし、前記通信事業者ネットワーク情報は、サーバが当該通信事業者ネットワークに対応するローカル仮想ＳＩＭカードを配布する権限があるか否かを判断させるものであり、
前記サーバが当該通信事業者ネットワークに対応するローカル仮想ＳＩＭカードを配布する権限があると判断した場合に、前記サーバにより配布され、且つ前記通信事業者ネットワークに対応するローカル仮想ＳＩＭカードを受信し、
前記ローカル仮想ＳＩＭカードに基づいて前記通信事業者ネットワークに接続する
ように構成されることを特徴とする通信事業者ネットワーク接続装置。
【請求項１２】
プロセッサに実行されることにより、請求項１から請求項５のいずれか１項に記載の通信事業者ネットワーク接続方法を実現することを特徴とするプログラム。
【請求項１３】
請求項１２に記載のプログラムが記録された記録媒体。
【発明の詳細な説明】
【技術分野】
【０００１】
本発明は、通信分野に関し、特に通信事業者ネットワーク接続方法及び装置、プログラム及び記録媒体に関する。
【０００２】
本願は、出願番号がＣＮ２０１５１０３６４１００．７であって、出願日が２０１５年６月２６日である中国特許出願に基づき優先権を主張し、当該中国特許出願のすべての内容を本願に援用する。
【背景技術】
【０００３】
モバイル・インターネットの発展に伴い、多くのスマートデバイスはインターネットへの接続のニーズがある。しかし、特殊な使用状況では、例えば、モバイル・スマートデバイスの場合、スマートデバイスのインターネットへの接続ニーズは臨時的なものである。従って、このようなインターネットへの接続ニーズが臨時的なものである使用状況で、如何に柔軟にインターネットに接続するのかは、非常に重要なことになっている。
【発明の概要】
【発明が解決しようとする課題】
【０００４】
本発明は、従来技術に存在する上記のような課題を解決するために、通信事業者ネットワーク接続方法及び装置、プログラム及び記録媒体を提供する。
【課題を解決するための手段】
【０００５】
本発明の実施例に係る第１様態によれば、
検出された通信事業者ネットワーク情報をサーバにアップロードするステップと、
前記サーバにより配布され、且つ前記通信事業者ネットワークに対応するローカル仮想ＳＩＭカードを受信するステップと、
前記ローカル仮想ＳＩＭカードに基づいて前記通信事業者ネットワークに接続するステップと
を含む通信事業者ネットワーク接続方法を提供する。
【０００６】
検出された通信事業者ネットワーク情報をサーバにアップロードするステップの前に、前記方法は、
デバイスに内蔵された仮想ＳＩＭカードを通じて、カバーしている通信事業者ネットワークを検出するステップと、
所定のオプション機能がオンにされているか否かを判断するステップと、
前記所定のオプション機能がオンにされている場合、検出された前記通信事業者ネットワーク情報をサーバにアップロードするステップと
を含んでもよい。
【０００７】
検出された通信事業者ネットワーク情報をサーバにアップロードするステップは、
デバイスに内蔵された仮想ＳＩＭカードを通じて前記サーバとリモート接続を構築するステップと、
構築された前記リモート接続に基づいて、検出された前記通信事業者ネットワーク情報を前記サーバにアップロードするステップと
を含み、
前記デバイスに内蔵された仮想ＳＩＭカードは、前記サーバにアクセスする能力のみを有するように予め構成されてもよい。
【０００８】
検出された通信事業者ネットワーク情報をサーバにアップロードするステップは、
デバイスに内蔵されたＷＩＦＩチップを通じて、カバーしている範囲内のＷＩＦＩネットワークに接続し、当該ＷＩＦＩネットワークを通じて前記サーバとリモート接続を構築するステップと、
構築された前記リモート接続に基づいて、検出された通信事業者ネットワーク情報を前記サーバにアップロードするステップと、
を含んでもよい。
【０００９】
前記方法は、
前記所定のオプション機能がオフにされているか、またはカバーしている前記通信事業者ネットワークにローミングが発生していることが検出された場合、受信された前記ローカル仮想ＳＩＭカードを削除し、前記サーバに当該ローカル仮想ＳＩＭドの回収を要求する旨の通知メッセージ送信するステップをさらに含んでもよい。
【００１０】
本発明の実施例に係る第２様態によれば、
検出された通信事業者ネットワーク情報をサーバにアップロードするためのアップロードモジュールと、
前記サーバにより配布され、且つ前記通信事業者ネットワークに対応するローカル仮想ＳＩＭカードを受信するための受信モジュールと、
前記ローカル仮想ＳＩＭカードに基づいて前記通信事業者ネットワークに接続するための接続モジュールと
を備える通信事業者ネットワーク接続装置を提供する。
【００１１】
前記装置は、
デバイスに内蔵された仮想ＳＩＭカードを通じて、カバーしている通信事業者ネットワークを検出するための検出モジュールと、
所定のオプション機能がオンにされているか否かを判断して、前記所定のオプション機能がオンにされている場合、前記アップロードモジュールを介して、検出モジュールにより検出された前記通信事業者ネットワーク情報をサーバにアップロードするための判断モジュールと
をさらに備えてもよい。
【００１２】
前記アップロードモジュールは、
デバイスに内蔵された仮想ＳＩＭカードを通じて前記サーバとリモート接続を構築するための第１構築サブモジュールと、
構築された前記リモート接続に基づいて、検出された前記通信事業者ネットワーク情報を前記サーバにアップロードするための第１アップロードサブモジュールと
を備え、
前記デバイスに内蔵された仮想ＳＩＭカードは、前記サーバにアクセスする能力のみを有するように予め構成されてもよい。
【００１３】
前記アップロードモジュールは、
デバイスに内蔵されたＷＩＦＩチップを通じて、カバーしている範囲内のＷＩＦＩネットワークに接続するための接続サブモジュールと、
前記ＷＩＦＩネットワークを通じて前記サーバとリモート接続を構築するための第２構築サブモジュールと、
構築された前記リモート接続に基づいて、検出された通信事業者ネットワーク情報を前記サーバにアップロードするための第２アップロードサブモジュールと
を備えてもよい。
【００１４】
前記装置は、
前記所定のオプション機能がオフにされているか、またはカバーしている前記通信事業者ネットワークにローミングが発生していることが検出された場合、受信された前記ローカル仮想ＳＩＭカードを削除し、前記サーバに当該ローカル仮想ＳＩＭドの回収を要求する旨の通知メッセージ送信するための削除モジュールをさらに備えてもよい。
【００１５】
本発明の実施例に係る第３様態によれば、
プロセッサと、
前記プロセッサにより実行可能なインストラクションを記憶するためのメモリと
を備え、
前記プロセッサは、
検出された通信事業者ネットワーク情報をサーバにアップロードし、
前記サーバにより配布され、且つ前記通信事業者ネットワークに対応するローカル仮想ＳＩＭカードを受信し、
前記ローカル仮想ＳＩＭカードに基づいて前記通信事業者ネットワークに接続するように構成される通信事業者ネットワーク接続装置を提供する。
【００１６】
本発明の実施例に係る第４態様によれば、
プロセッサに実行されることにより、第１態様による前記通信事業者ネットワーク接続方法を実現するプログラムを提供する。
【００１７】
本発明の実施例に係る第５態様によれば、
第４態様による前記プログラムが記録されている記録媒体を提供する。
【発明の効果】
【００１８】
本発明の実施例により提供された技術案によれば、以下のような有益な効果が得られる。
【００１９】
本発明の以上の実施例によれば、検出された通信事業者ネットワーク情報をサーバにアップロードし、サーバにより配布され且つ当該通信事業者ネットワークに対応するローカル仮想ＳＩＭカードを受信してから、当該ローカル仮想ＳＩＭカードに基づいて当該通信事業者ネットワークに接続することにより、デバイスに実物のＳＩＭカードを内蔵せず、サーバに仮想ＳＩＭカード資源を動的に要求することを実現できる。
【００２０】
なお、上述の一般的な記載及び後述の詳細な記載は、単なる例示的な解釈であり、本発明に対する限定として見なしてはいけない。
【図面の簡単な説明】
【００２１】
以下の図面は、明細書に組み込まれて本願明細書の一部分となり、本願発明に係る実施例を示し、且つ明細書とともに、本発明の原理の説明に用いられる。
【図１】例示的な実施例に係る通信事業者ネットワーク接続方法の模式的なフローチャートである。
【図２】例示的な実施例に係る別の通信事業者ネットワーク接続方法の模式的なフローチャートである。
【図３】例示的な実施例に係る通信事業者ネットワーク接続装置の模式的なブロック図である。
【図４】例示的な実施例に係る別の通信事業者ネットワーク接続装置の模式的なブロック図である。
【図５】例示的な実施例に係る別の通信事業者ネットワーク接続装置の模式的なブロック図である。
【図６】例示的な実施例に係る別の通信事業者ネットワーク接続装置の模式的なブロック図である。
【図７】例示的な実施例に係る別の通信事業者ネットワーク接続装置の模式的なブロック図である。
【図８】例示的な実施例に係る前記通信事業者ネットワーク接続装置の構成を示す模式図である。
【発明を実施するための形態】
【００２２】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。逆に、それらは、特許請求の範囲に記載の本発明のある側面に一致する装置及び方法の例に過ぎない。
【００２３】
本発明に記載の用語は、特定の実施例を説明する目的で使用されるものに過ぎず、本発明を限定するものではない。本発明及び添付された特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の１つ又は複数の何れ又は全ての組み合わせを意味する。
【００２４】
また、本発明は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、上下文の意味によって、「……時」或は「……と」又は「確定に応じる」に解釈されてもよい。
【００２５】
現在、スマートデバイスのインターネットへの接続は、通常スマートデバイスに実物のＳＩＭ（契約者識別モジュール）カード又はＷＩＦＩ（Ｗｉｒｅｌｅｓｓ−Ｆｉｄｅｌｉｔｙ）チップを内蔵することにより実現する。ＷＩＦＩチップを内蔵することによりインターネットに接続する技術案は、接続過程においてスマートデバイスの周囲にＷＩＦＩスポットの存在が必要となるので、アウトで使うモバイル・スマートデバイスには大きな制限がある。一方、実物のＳＩＭカードを内蔵することによりインターネットに接続する技術案は、内蔵されたＳＩＭの番号は希少なものであるため、スマートデバイスの生産コストが高くなる問題が生じる。そして、モバイル・スマートデバイスにとって、インターネットへの接続ニーズは通常には臨時的なものであるため、実物のＳＩＭカードを内蔵するのは、資源の無駄遣いになるに間違いない。
【００２６】
本発明はこのような事情に鑑みてなされたものであり、通信事業者ネットワーク接続方法を提供する。スマートデバイスは、検出された通信事業者ネットワーク情報をサーバにアップロードし、サーバにより配布され且つ当該通信事業者ネットワークに対応するローカル仮想ＳＩＭカードを受信し、その後、当該ローカル仮想ＳＩＭカードに基づいて当該通信事業者ネットワークに接続することにより、サーバに仮想ＳＩＭカード資源を動的に要求することを実現でき、デバイスに実物のＳＩＭカードを内蔵する必要がない。
【００２７】
図１に示すように、図１は、例示的な実施例に係る通信事業者ネットワーク接続方法であり、当該通信事業者ネットワーク接続方法は、スマートデバイスに適用され、以下のステップを含む。即ち、
ステップ１０１において、検出された通信事業者ネットワーク情報をサーバにアップロードする。
【００２８】
ステップ１０２において、前記サーバにより配布され、且つ前記通信事業者ネットワークに対応するローカル仮想ＳＩＭカードを受信する。
【００２９】
ステップ１０３において、前記ローカル仮想ＳＩＭカードに基づいて前記通信事業者ネットワークに接続する。
【００３０】
以上のステップにおいて、スマートデバイスは、モバイルスマートデバイス、例えば、携帯電話又は他の類型のモバイルスマートデバイスを含んでもよく、サーバは、スマートデバイスに対して仮想ＳＩＭカードの配布サービスを提供する配布サーバ、サーバ・クラスタ又はクラウドプラットフォームを含んでもよい。仮想ＳＩＭカードは、現在使用しているカードと端末が分離した実物のＳＩＭカードと違って、仮想化技術を利用したものであり、移動端末に仮想ＳＩＭカードを模擬設定することにより、実物のＳＩＭカードの代わりに仮想ＳＩＭカードでユーザの身分認証とネットワーク認証を完成する。  
【００３１】
本実施例において、スマートデバイスは、実物のＳＩＭカードを内蔵しなくてもよい。スマートデバイスは、工場出荷時に、スマートデバイスのセキュア記憶領域に仮想ＳＩＭカード情報を内蔵することができる。ここで、複数のスマートデバイスは、同一の仮想ＳＩＭカード情報を共有することができ、当該仮想ＳＩＭカード情報は、予め配布サーバにアクセスする能力のみを有するように構成されることができる。当該仮想ＳＩＭカード情報は配布サーバにアクセスする能力のみを有するように構成されると、スマートデバイスは、当該内蔵された仮想ＳＩＭカード情報を介して、正常に周囲をカバーしている通信事業者ネットワークを検出して、それに接続することができるが、周囲をカバーしている通信事業者ネットワークから相応するネットワークデータサービスを取得することができない。
【００３２】
なお、スマートデバイスには、予めインターネットアクセスサービスをオンにするためのオプション機能を設定してもよい。スマートデバイスは、インターネットへの接続ニーズがある場合、ユーザは、当該オプション機能をオンにすることにより、通信事業者ネットワークに接続する機能をオンにする。ここで、当該オプション機能は、スマートデバイスにおける所定の実物のオンオフ押しボタンであってもよく、スマートデバイスシステムにおける仮想化機能のオンオフオプションであってもよい。
【００３３】
上述のオプション機能がオンにされた後、スマートデバイスは、内蔵された仮想ＳＩＭカードを通じて周囲をカバーしている通信事業者ネットワークを検出することにより、周囲をカバーしている通信事業者ネットワークの中に使える通信事業者ネットワークが存在するか否かを判断することができる。周囲をカバーしている通信事業者ネットワークの中に使える通信事業者ネットワークが存在する場合、この時のスマートデバイスは、当該通信事業者ネットワークの情報、例えば、当該使える通信事業者ネットワークの所属国、地方などの情報を配布サーバにアップロードすることができる。
【００３４】
ここで、スマートデバイスが当該通信事業者ネットワークの情報をアップロードするには、異なる使用状況によって異なる実現方式が存在してもよい。
【００３５】
一方、通信事業者ネットワークのみがカバーしているエリア、例えば、野外では、デバイスに内蔵された仮想ＳＩＭカードが配布サーバにアクセスする能力を有するため、スマートデバイスは、当該通信事業者ネットワークの情報をアップロードする際、当該内蔵された仮想ＳＩＭカードに基づいて当該通信事業者ネットワークの情報を配布サーバにアップロードすることができる。
【００３６】
実現において、内蔵された仮想ＳＩＭカードが当該使える通信事業者ネットワークを検出した場合、当該通信事業者ネットワークに接続し、且つ当該通信事業者ネットワークに基づいて配布サーバとのリモート接続確立を試みることができる。リモート接続が成功的に確立されると、この時、当該使える通信事業者ネットワークの情報を配布サーバにアップロードすることができる。ここで、仮想ＳＩＭカードを通信事業者ネットワークに接続する詳細な過程については、先行技術を参照すればよい。本実施例ではその説明を省略する。
【００３７】
当然ながら、内蔵された仮想ＳＩＭカードが複数の使える通信事業者ネットワークを検出した場合、当該使える複数の通信事業者ネットワークをリストアップする形でユーザに出力して、ユーザが自分の希望の通信事業者ネットワークを選択するようにしてもよい。
【００３８】
一方、無料のＷＩＦＩスポットが存在するエリアでは、スマートデバイスが、当該通信事業者ネットワークの情報をアップロードする際に、当該ＷＩＦＩスポットに基づいて当該通信事業者ネットワークの情報を配布サーバにアップロードしてもよい。
【００３９】
実現において、内蔵された仮想ＳＩＭカードが当該使える通信事業者ネットワークを検出した場合、周囲に使えるＷＩＦＩスポットが存在するか否かを検出することができる。周囲に使えるＷＩＦＩスポットが存在する場合、スマートデバイスは、内蔵されたＷＩＦＩチップを通じて当該ＷＩＦＩネットワークに接続し、且つ当該ＷＩＦＩネットワークを通じて配布サーバとリモート接続を構築して、確立されたリモート接続に基づいて当該使える通信事業者ネットワークの情報を配布サーバにアップロードすることができる。
【００４０】
本実施例において、配布サーバは、スマートデバイスによりアップロードされる通信事業者ネットワークの情報を受信した後、それに基づいて、スマートデバイスに当該通信事業者ネットワークに対応するローカル仮想ＳＩＭカード情報を配布し、ローカルに当該スマートデバイスと当該ローカル仮想ＳＩＭカード情報との対応関係を記憶することができる。
【００４１】
例えば、ユーザがスマートデバイスを持って国際ローミングする場合、配布サーバは、スマートデバイスによりアップロードされた通信事業者ネットワークの所属国、地方などの情報に基づいて通信事業者と協力関係を築いているか否かを判断することができる。協力関係を築いている場合、この時、配布サーバは、当該通信事業者に対応するローカル仮想ＳＩＭカードを配布する権限があり、直接スマートデバイスに当該通信事業者に対応するローカル仮想ＳＩＭカードを配布することができる。
【００４２】
スマートデバイスは、配布サーバにより配布されたローカル仮想ＳＩＭカードを受信する場合、依然として当該ローカル仮想ＳＩＭカード情報をスマートデバイスのセキュア記憶領域に記憶することができる。スマートデバイスは、当該仮想ＳＩＭカードに基づいて、無線チャンネルを通じて現地の通信事業者ネットワークに身分認証とネットワーク認証を求めることができ、認証に成功すると、この時、スマートデバイスは、現地ユーザの身分で当該通信事業者ネットワークに接続し、当該通信事業者ネットワークが提供するネットワークデータサービスを享有することができる。
【００４３】
本実施例において、配布サーバからスマートデバイスに配布されたローカル仮想ＳＩＭカード情報は、配布サーバによって回収されてもよい。
【００４４】
一方、スマートデバイスが通信事業者ネットワークに接続する必要がなくなった場合、ユーザは、上述のオプション機能をオフにすることにより通信事業者ネットワークの接続サービスをオフにすることができる。ユーザは、当該オプション機能をオフにした後、スマートデバイスによるセキュア記憶領域に記憶された当該ローカル仮想ＳＩＭカード情報の削除をトリガーするとともに、前記サーバに当該ローカル仮想ＳＩＭカード情報の回収を要求する旨の通知メッセージ送信することができる。
【００４５】
一方、内蔵された仮想ＳＩＭカードが現在接続している通信事業者ネットワークにローミングが発生していることを検出した場合、例えば、ユーザがスマートデバイスを持って当該通信事業者ネットワークの範囲から離れて、その他の通信事業者ネットワークの範囲に入った場合、この時、スマートデバイスが依然として受信されたローカル仮想ＳＩＭカード情報に基づいてネットワークに接続すれば、高額な費用が発生する。従って、このような状況に対し、内蔵された仮想ＳＩＭカードが現在接続している通信事業者ネットワークにローミングが発生していることを検出した場合、スマートデバイスによるセキュア記憶領域に記憶された当該ローカル仮想ＳＩＭカード情報の削除をトリガーするとともに、前記サーバに当該ローカル仮想ＳＩＭカード情報の回収を要求する旨の通知メッセージ送信することができる。当然ながら、ローミングが発生しても、ユーザが依然として通信事業者ネットワークに接続するニーズがある場合、上述の実施過程にしたがって配布サーバによりスマートデバイスに新たにローカル仮想ＳＩＭカードを配布することができる。
【００４６】
配布サーバは、スマートデバイスにより送信される、既に配布されたローカル仮想ＳＩＭカード情報の回収を要求する旨の通知メッセージ受信した後、当該ローカル仮想ＳＩＭカード情報を回収し、ローカルに記憶された当該スマートデバイスと当該ローカル仮想ＳＩＭカード情報との対応関係を削除することができ、この時、当該仮想ＳＩＭカードは、配布サーバによって繰り返して利用されることができ、仮想ＳＩＭカード資源としてその他のスマートデバイスに配布されて使用されることができる。このようにして、仮想ＳＩＭカード資源の繰り返しの利用を実現し、仮想ＳＩＭカード資源の利用率を向上することができる。
【００４７】
以上の実施例において、スマートデバイスは、検出された通信事業者ネットワーク情報をサーバにアップロードし、サーバにより配布され且つ当該通信事業者ネットワークに対応するローカル仮想ＳＩＭカードを受信してから、当該ローカル仮想ＳＩＭカードに基づいて当該通信事業者ネットワークに接続することにより、デバイスに実物のＳＩＭカードを内蔵せず、サーバに仮想ＳＩＭカード資源を動的に要求することを実現でき、生産コストを効果的に下げることができる。それとともに、以上の実施例において、仮想ＳＩＭカードを回収するメカニズムをさらに採用して、配布サーバは、配布された仮想ＳＩＭカード資源を繰り返して利用することができる。これによって、仮想ＳＩＭカード資源の利用率を向上することができる。
【００４８】
図２に示すように、図２は、例示的な実施例に係る通信事業者ネットワーク接続方法であり、当該通信事業者ネットワーク接続方法は、スマートデバイスに適用され、以下のステップを含む。即ち、
ステップ２０１において、デバイスに内蔵された仮想ＳＩＭカードを通じて、カバーしている通信事業者ネットワークを検出する。
【００４９】
ステップ２０２において、所定のオプション機能がオンにされているか否かを判断する。
【００５０】
ここで、ステップ２０１とステップ２０２の順番は交換してもよい。
【００５１】
ステップ２０３において、前記所定のオプション機能がオンにされている場合、デバイスに内蔵された仮想ＳＩＭカードを通じて前記サーバとリモート接続を構築する。ここで、前記デバイスに内蔵された仮想ＳＩＭカードは、前記サーバにアクセスする能力のみを有するように予め構成される。
【００５２】
ステップ２０４において、構築された前記リモート接続に基づいて、検出された前記通信事業者ネットワーク情報を前記サーバにアップロードする。
【００５３】
ステップ２０５において、前記サーバにより配布され、且つ前記通信事業者ネットワークに対応するローカル仮想ＳＩＭカードを受信する。
【００５４】
ステップ２０６において、前記ローカル仮想ＳＩＭカードに基づいて前記通信事業者ネットワークに接続する。
【００５５】
以上のステップにおいて、スマートデバイスは、モバイルスマートデバイス、例えば、携帯電話又は他の類型のモバイルスマートデバイスを含んでもよく、サーバは、スマートデバイスに対して仮想ＳＩＭカードの配布サービスを提供する配布サーバ、サーバ・クラスタ又はクラウドプラットフォームを含んでもよい。仮想ＳＩＭカードは、現在使用しているカードと端末が分離した実物のＳＩＭカードと違って、仮想化技術を利用したものであり、移動端末に仮想ＳＩＭカードを模擬設定することにより、実物のＳＩＭカードの代わりに仮想ＳＩＭカードでユーザの身分認証とネットワーク認証を完成する。  
【００５６】
本実施例において、スマートデバイスは、実物のＳＩＭカードを内蔵しなくてもよい。スマートデバイスは、工場出荷時に、スマートデバイスのセキュア記憶領域に仮想ＳＩＭカード情報を内蔵することができる。ここで、複数のスマートデバイスは、同一の仮想ＳＩＭカード情報を共有することができ、当該仮想ＳＩＭカード情報は、予め配布サーバにアクセスする能力のみを有するように構成されることができる。当該仮想ＳＩＭカード情報は配布サーバにアクセスする能力のみを有するように構成されると、スマートデバイスは、当該内蔵された仮想ＳＩＭカード情報を介して、正常に周囲をカバーしている通信事業者ネットワークを検出して、それに接続することができるが、周囲をカバーしている通信事業者ネットワークから相応するネットワークデータサービスを取得することができない。
【００５７】
なお、スマートデバイスには、予めインターネットアクセスサービスをオンにするためのオプション機能を設定してもよい。スマートデバイスは、インターネットへの接続ニーズがある場合、ユーザは、当該オプション機能をオンにすることにより、通信事業者ネットワークに接続する機能をオンにする。ここで、当該オプション機能は、スマートデバイスにおける所定の実物のオンオフ押しボタンであってもよく、スマートデバイスシステムにおける仮想化機能のオンオフオプションであってもよい。
【００５８】
上述のオプション機能がオンにされた後、スマートデバイスは、内蔵された仮想ＳＩＭカードを通じて周囲をカバーしている通信事業者ネットワークを検出することにより、周囲をカバーしている通信事業者ネットワークの中に使える通信事業者ネットワークが存在するか否かを判断することができる。周囲をカバーしている通信事業者ネットワークの中に使える通信事業者ネットワークが存在する場合、この時のスマートデバイスは、当該通信事業者ネットワークの情報、例えば、当該使える通信事業者ネットワークの所属国、地方などの情報を配布サーバにアップロードすることができる。
【００５９】
ここで、スマートデバイスが当該通信事業者ネットワークの情報をアップロードするには、異なる使用状況によって異なる実現方式が存在してもよい。
【００６０】
一方、通信事業者ネットワークのみがカバーしているエリア、例えば、野外では、デバイスに内蔵された仮想ＳＩＭカードが配布サーバにアクセスする能力を有するため、スマートデバイスは、当該通信事業者ネットワークの情報をアップロードする際、当該内蔵された仮想ＳＩＭカードに基づいて当該通信事業者ネットワークの情報を配布サーバにアップロードすることができる。
【００６１】
実現において、内蔵された仮想ＳＩＭカードが当該使える通信事業者ネットワークを検出した場合、当該通信事業者ネットワークに接続し、且つ当該通信事業者ネットワークに基づいて配布サーバとのリモート接続確立を試みることができる。リモート接続が成功的に確立されると、この時、当該使える通信事業者ネットワークの情報を配布サーバにアップロードすることができる。ここで、仮想ＳＩＭカードを通信事業者ネットワークに接続する詳細な過程については、先行技術を参照すればよい。本実施例ではその説明を省略する。
【００６２】
当然ながら、内蔵された仮想ＳＩＭカードが複数の使える通信事業者ネットワークを検出した場合、当該使える複数の通信事業者ネットワークをリストアップする形でユーザに出力して、ユーザが自分の希望の通信事業者ネットワークを選択するようにしてもよい。
【００６３】
一方、無料のＷＩＦＩスポットが存在するエリアでは、スマートデバイスが、当該通信事業者ネットワークの情報をアップロードする際に、当該ＷＩＦＩスポットに基づいて当該通信事業者ネットワークの情報を配布サーバにアップロードしてもよい。
【００６４】
実現において、内蔵された仮想ＳＩＭカードが当該使える通信事業者ネットワークを検出した場合、周囲に使えるＷＩＦＩスポットが存在するか否かを検出することができる。周囲に使えるＷＩＦＩスポットが存在する場合、スマートデバイスは、内蔵されたＷＩＦＩチップを通じて当該ＷＩＦＩネットワークに接続し、且つ当該ＷＩＦＩネットワークを通じて配布サーバとリモート接続を構築して、確立されたリモート接続に基づいて当該使える通信事業者ネットワークの情報を配布サーバにアップロードすることができる。
【００６５】
本実施例において、配布サーバは、スマートデバイスによりアップロードされる通信事業者ネットワークの情報を受信した後、それに基づいて、スマートデバイスに当該通信事業者ネットワークに対応するローカル仮想ＳＩＭカード情報を配布し、ローカルに当該スマートデバイスと当該ローカル仮想ＳＩＭカード情報との対応関係を記憶することができる。
【００６６】
例えば、ユーザがスマートデバイスを持って国際ローミングする場合、配布サーバは、スマートデバイスによりアップロードされた通信事業者ネットワークの所属国、地方などの情報に基づいて通信事業者と協力関係を築いているか否かを判断することができる。協力関係を築いている場合、この時、配布サーバは、当該通信事業者に対応するローカル仮想ＳＩＭカードを配布する権限があり、直接スマートデバイスに当該通信事業者に対応するローカル仮想ＳＩＭカードを配布することができる。
【００６７】
スマートデバイスは、配布サーバにより配布されたローカル仮想ＳＩＭカードを受信する場合、依然として当該ローカル仮想ＳＩＭカード情報をスマートデバイスのセキュア記憶領域に記憶することができる。スマートデバイスは、当該仮想ＳＩＭカードに基づいて、無線チャンネルを通じて現地の通信事業者ネットワークに身分認証とネットワーク認証を求めることができ、認証に成功すると、この時、スマートデバイスは、現地ユーザの身分で当該通信事業者ネットワークに接続し、当該通信事業者ネットワークが提供するネットワークデータサービスを享有することができる。
【００６８】
本実施例において、配布サーバからスマートデバイスに配布されたローカル仮想ＳＩＭカード情報は、配布サーバによって回収されてもよい。
【００６９】
一方、スマートデバイスが通信事業者ネットワークに接続する必要がなくなった場合、ユーザは、上述のオプション機能をオフにすることにより通信事業者ネットワークの接続サービスをオフにすることができる。ユーザは、当該オプション機能をオフにした後、スマートデバイスによるセキュア記憶領域に記憶された当該ローカル仮想ＳＩＭカード情報の削除をトリガーするとともに、前記サーバに当該ローカル仮想ＳＩＭカード情報の回収を要求する旨の通知メッセージ送信することができる。
【００７０】
一方、内蔵された仮想ＳＩＭカードが現在接続している通信事業者ネットワークにローミングが発生していることを検出した場合、例えば、ユーザがスマートデバイスを持って当該通信事業者ネットワークの範囲から離れて、その他の通信事業者ネットワークの範囲に入った場合、この時、スマートデバイスが依然として受信されたローカル仮想ＳＩＭカード情報に基づいてネットワークに接続すれば、高額な費用が発生する。従って、このような状況に対し、内蔵された仮想ＳＩＭカードが現在接続している通信事業者ネットワークにローミングが発生していることを検出した場合、スマートデバイスによるセキュア記憶領域に記憶された当該ローカル仮想ＳＩＭカード情報の削除をトリガーするとともに、前記サーバに当該ローカル仮想ＳＩＭカード情報の回収を要求する旨の通知メッセージ送信することができる。当然ながら、ローミングが発生しても、ユーザが依然として通信事業者ネットワークに接続するニーズがある場合、上述の実施過程にしたがって配布サーバによりスマートデバイスに新たにローカル仮想ＳＩＭカードを配布することができる。
【００７１】
配布サーバは、スマートデバイスにより送信される、既に配布されたローカル仮想ＳＩＭカード情報の回収を要求する旨の通知メッセージ受信した後、当該ローカル仮想ＳＩＭカード情報を回収し、ローカルに記憶された当該スマートデバイスと当該ローカル仮想ＳＩＭカード情報との対応関係を削除することができ、この時、当該仮想ＳＩＭカードは、配布サーバによって繰り返して利用されることができ、仮想ＳＩＭカード資源としてその他のスマートデバイスに配布されて使用されることができる。このようにして、仮想ＳＩＭカード資源の繰り返しの利用を実現し、仮想ＳＩＭカード資源の利用率を向上することができる。
【００７２】
以上の実施例において、スマートデバイスは、検出された通信事業者ネットワーク情報をサーバにアップロードし、サーバにより配布され且つ当該通信事業者ネットワークに対応するローカル仮想ＳＩＭカードを受信してから、当該ローカル仮想ＳＩＭカードに基づいて当該通信事業者ネットワークに接続することにより、デバイスに実物のＳＩＭカードを内蔵せず、サーバに仮想ＳＩＭカード資源を動的に要求することを実現でき、生産コストを効果的に下げることができる。それとともに、以上の実施例において、仮想ＳＩＭカードを回収するメカニズムをさらに採用して、配布サーバは、配布された仮想ＳＩＭカード資源を繰り返して利用することができる。これによって、仮想ＳＩＭカード資源の利用率を向上することができる。
【００７３】
前述の通信事業者ネットワーク接続方法の実施例に対応して、本発明は、装置の実施例をさらに提供する。
【００７４】
図３は、例示的な実施例に係る通信事業者ネットワーク接続装置の模式的なブロック図である。
【００７５】
図３に示すように、例示的な実施例に係る通信事業者ネットワーク接続装置３００は、アップロードモジュール３０１と、受信モジュール３０２と、接続モジュール３０３とを備える。
【００７６】
ここで、前記アップロードモジュール３０１は、検出された通信事業者ネットワーク情報をサーバにアップロードするように構成される。
【００７７】
前記受信モジュール３０２は、前記サーバにより配布され、且つ前記通信事業者ネットワークに対応するローカル仮想ＳＩＭカードを受信するように構成される。
【００７８】
前記接続モジュール３０３は、前記ローカル仮想ＳＩＭカードに基づいて前記通信事業者ネットワークに接続するように構成される。
【００７９】
以上の実施例において、スマートデバイスは、検出された通信事業者ネットワーク情報をサーバにアップロードし、サーバにより配布され且つ当該通信事業者ネットワークに対応するローカル仮想ＳＩＭカードを受信してから、当該ローカル仮想ＳＩＭカードに基づいて当該通信事業者ネットワークに接続することにより、デバイスに実物のＳＩＭカードを内蔵せず、サーバに仮想ＳＩＭカード資源を動的に要求することを実現する。
【００８０】
図４を参照すると、図４は、例示的な実施例に係る別の装置の模式的なブロック図であり、当該実施例は、前述の図３に示す実施例を基にするものであり、前記装置３００は検出モジュール３０４と判断モジュール３０５とをさらに備えてもよい。
【００８１】
ここで、
前記検出モジュール３０４は、デバイスに内蔵された仮想ＳＩＭカードを通じて、カバーしている通信事業者ネットワークを検出するように構成される。
【００８２】
前記判断モジュール３０５は、所定のオプション機能がオンにされているか否かを判断して、前記所定のオプション機能がオンにされている場合、前記アップロードモジュール３０１を介して、検出モジュール３０４により検出された通信事業者ネットワーク情報をサーバにアップロードするように構成される。
【００８３】
図５を参照すると、図５は、例示的な実施例に係る別の装置の模式的なブロック図であり、当該実施例は、前述の図３に示す実施例を基にするものであり、前記アップロードモジュール３０１は、第１構築サブモジュール３０１Ａと第１アップロードサブモジュール３０１Ｂとを備えてもよい。
【００８４】
ここで、
前記第１構築サブモジュール３０１Ａは、デバイスに内蔵された仮想ＳＩＭカードを通じて前記サーバとリモート接続を構築するように構成される。
【００８５】
前記第１アップロードサブモジュール３０１Ｂは、構築された前記リモート接続に基づいて、検出された通信事業者ネットワーク情報を前記サーバにアップロードするように構成され、前記デバイスに内蔵された仮想ＳＩＭカードは、前記サーバにアクセスする能力のみを有するように予め構成される。
【００８６】
説明すべきなのは、上述の図５に示す装置の実施例における第１構築サブモジュール３０１Ａと第１アップロードサブモジュール３０１Ｂの構成は、前述の図４の装置の実施例に含まれてもよい。これに対して、本発明は限定しない。
【００８７】
図６を参照すると、図６は、例示的な実施例に係る別の装置の模式的なブロック図であり、当該実施例は、前述の図３に示す実施例を基にするものであり、前記アップロードモジュール３０１は、接続サブモジュール３０１Ｃと、第２構築サブモジュール３０１Ｄと、第２アップロードサブモジュール３０１Ｅとを備えてもよい。
【００８８】
ここで、
前記接続サブモジュール３０１Ｃは、デバイスに内蔵されたＷＩＦＩチップを通じて、カバーしている範囲内のＷＩＦＩネットワークに接続するように構成される。
【００８９】
前記第２構築サブモジュール３０１Ｄは、前記ＷＩＦＩネットワークを通じて前記サーバとリモート接続を構築するように構成される。
【００９０】
前記第２アップロードサブモジュール３０１Ｅは、構築された前記リモート接続に基づいて、検出された通信事業者ネットワーク情報を前記サーバにアップロードするように構成される。
【００９１】
説明すべきなのは、上述の図６に示す装置の実施例における接続サブモジュール３０１Ｃ、第２構築サブモジュール３０１Ｄ及び第２アップロードサブモジュール３０１Ｅの構成は、前述の図４〜５の装置の実施例に含まれてもよい。これに対して、本発明は限定しない。
【００９２】
図７を参照すると、図７は、例示的な実施例に係る別の装置の模式的なブロック図であり、当該実施例は、前述の図３に示す実施例を基にするものであり、前記装置３００は削除モジュール３０６をさらに備えてもよい。
【００９３】
ここで、
前記削除モジュール３０６は、前記所定のオプション機能がオフにされていること、またはカバーしている前記通信事業者ネットワークにローミングが発生していることを検出した場合、受信された前記ローカル仮想ＳＩＭカードを削除し、前記サーバに当該ローカル仮想ＳＩＭドの回収を要求する旨の通知メッセージ送信するように構成される。
【００９４】
説明すべきなのは、上述の図７に示す装置の実施例における削除モジュール３０６の構成は、前述の図４〜６の装置の実施例に含まれてもよい。これに対して、本発明は限定しない。
【００９５】
上述の実施例に係る装置において、それぞれのモジュールが機能と作用を実現する具体的な過程については、前述の方法の実施例の対応する実現過程を参照し、ここではその詳細な説明を省略することにする。
【００９６】
装置の実施例は、基本的に方法の実施例に対応するため、その関連部分について方法の実施例の内容を参照すればよい。以上に記載された装置の実施例は、ただ例示的なものにすぎず、前記分離ユニットとして説明されたモジュールは、物理的に分離されたものでも、分離されていないものであってもよい。モジュールとして表示されたユニットは、物理的なモジュールであっても、なくてもよい。即ち、一つの箇所に配置されてもよく、複数のネットワークモジュールに配置されもよい。実際のニーズに応じてその中の一部又は全部のモジュールを選択して本発明案の目的を実現できる。当業者は創造的な労働を払わず、理解、且つ実施することができる。
【００９７】
相応して、本発明は、通信事業者ネットワーク接続装置をさらに提供する。前記装置は、
プロセッサと、
プロセッサにより実行可能なインストラクションを記憶するためのメモリと、
を備え、
前記プロセッサは、
検出された通信事業者ネットワーク情報をサーバにアップロードし、
前記サーバにより配布され、且つ前記通信事業者ネットワークに対応するローカル仮想ＳＩＭカードを受信し、
前記ローカル仮想ＳＩＭカードに基づいて前記通信事業者ネットワークに接続する
ように構成される。
【００９８】
相応に、本発明はさらにスマートデバイスを提供し、前記スマートデバイスは、メモリ及び一つ以上のプログラムを有している。ここで、一つ以上のプログラムは、メモリに記憶され、それに、一つ以上のプロセッサに前記一つ以上のプログラムに含まれ且つ以下の操作を行うためのインストラクションを実行させるように構成される。即ち、
検出された通信事業者ネットワーク情報をサーバにアップロードし、
前記サーバにより配布され、且つ前記通信事業者ネットワークに対応するローカル仮想ＳＩＭカードを受信し、
前記ローカル仮想ＳＩＭカードに基づいて前記通信事業者ネットワークに接続する。
【００９９】
図８は、例示的な実施例に係る通信事業者ネットワーク接続装置の構成を示す模式図である。
【０１００】
図８に示すように、例示的な実施例に係る通信事業者ネットワーク接続装置８００は、携帯電話、スマートデバイス、コンピュータ、デジタル放送端末、メッセージ送受信機、ゲーム機、タブレットデバイス、医療機器、フィットネス設備、ＰＤＡ（Ｐｅｒｓｏｎａｌ  Ｄｉｇｉｔａｌ  Ａｓｓｉｓｔａｎｔ）等であってもよい。
【０１０１】
図８を参照すること。装置８００は、処理アセンブリ８０１、メモリ８０２、電源アセンブリ８０３、マルチメディアアセンブリ８０４、オーディオアセンブリ８０５、入力／出力（Ｉ／Ｏ）インターフェース８０６、センサアセンブリ８０７及び通信アセンブリ８０８からなる群から選ばれる少なくとも１つを備えてもよい。
【０１０２】
処理アセンブリ８０１は、一般的には、装置８００の全体の操作、例えば、表示、電話呼び出し、データ通信、カメラ操作及び記録操作に関連する操作を制御する。処理アセンブリ８０１は、上述の方法におけるステップの一部又は全部を実現できるように、インストラクションを実行する少なくとも１つのプロセッサ８０９を備えてもよい。なお、処理アセンブリ８０１は、他のアセンブリとのインタラクションの便宜上、少なくとも１つのモジュールを備えてもよい。例えば、処理アセンブリ８０１は、マルチメディアアセンブリ８０４とのインタラクションの便利を図るために、マルチメディアモジュールを備えてもよい。
【０１０３】
メモリ８０２は、装置８００における操作を支援するための、各種のデータを記憶するように構成される。これらのデータの例として、装置８００において操作される何れのアプリケーション又は方法に関するインストラクション、連絡先データ、電話帳データ、メッセージ、メディアファイル、ビデオ等を含む。メモリ８０２は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、又は光ディスク、又はこれらの組み合わせにより実現することができる。
【０１０４】
電源アセンブリ８０３は、装置８００の各種アセンブリに電力を供給するためのものであり、電源管理システム、１つ又は複数の電源、及び装置８００のために電力を生成、管理及び分配することに関連のある他のアセンブリを備えてもよい。
【０１０５】
マルチメディアアセンブリ８０４は、装置８００とユーザとの間に出力インターフェースを提供するためのスクリーンを備えてもよい。何れかの実施例において、スクリーンは、液晶ディスプレイ（ＬＣＤ）やタッチパネル（ＴＰ）を備えてもよい。スクリーンは、タッチパネルを備える場合、ユーザからの入力信号を受信できるタッチスクリーンとして実現される。また、タッチパネルは、少なくとも１つのタッチセンサを備えることにより、タッチ、スライド、タッチパネル上でのジェスチャーを感知することができる。前記タッチセンサは、タッチやスライド動作の境界を感知できるだけではなく、タッチやスライド操作と関連する持続時間や圧力も感知できる。何れかの実施例において、マルチメディアアセンブリ８０４は、フロントカメラ及び／又はバックカメラを備えてもよい。装置８００が、例えば撮影モードやビデオモードのような操作モードにある場合、フロントカメラ及び／又はバックカメラは外部からのマルチメディアデータを受信できる。フロントカメラ及びバックカメラのそれぞれは、固定の光学レンズ系であってもよいし、可変の焦点距離及び光学ズーム機能を有するものであってもよい。
【０１０６】
オーディオアセンブリ８０５は、オーディオ信号を出力及び／又は入力するように構成される。例えば、オーディオアセンブリ８０５は、マイクロフォン（ＭＩＣ）を有してもよい。装置８００が、例えば呼び出しモード、記録モード又は音声認識モードのような操作モードにある場合、マイクロフォンは外部のオーディオ信号を受信するように構成される。受信されたオーディオ信号は、メモリ８０２に記憶されてもよく、通信アセンブリ８０８を介して送信されてもよい。何れかの実施例において、オーディオアセンブリ８０５は、オーディオ信号を出力するためのスピーカをさらに備えてもよい。
【０１０７】
Ｉ／Ｏインターフェース８０６は、処理アセンブリ８０１と周辺インターフェースモジュールとの間にインターフェースを提供するためのものである。前記周辺インターフェースモジュールは、キーボード、クリックホイール、ボタン等であってもよい。これらのボタンは、ホームボタン、音量ボタン、スタートボタン、ロックボタンであってもよいが、それらに限らない。
【０１０８】
センサアセンブリ８０７は、装置８００のために各方面の状態評価を提供するための少なくとも１つのセンサを備えてもよい。例えば、センサアセンブリ８０７は、装置８００のオン／オフ状態や、アセンブリの相対的な位置を検出することができる。例えば、前記アセンブリが装置８００のディスプレイ及びキーパッドである場合、センサアセンブリ８０７は、装置８００又は装置８００の１つのアセンブリの位置の変化や、ユーザと装置８００との接触の有無や、装置８００の方位又は加速／減速や、装置８００の温度変化を検出することができる。センサアセンブリ８０７は、何れの物理的接触もない状況にて付近の物体の有無を検出できるように構成される近接センサを含んでもよい。センサアセンブリ８０７は、さらに、画像表示技術分野に用いられる光センサ、例えばＣＭＯＳ又はＣＣＤ画像センサを含んでもよい。何れかの実施例において、当該センサアセンブリ８０７は、さらに、加速度センサ、ジャイロスコープセンサ、磁気センサ、圧力センサ又は温度センサを含んでもよい。
【０１０９】
通信アセンブリ８０８は、装置８００と他の設備との間の無線又は有線通信が便利になるように構成される。装置８００は、通信標準に基づく無線ネットワーク、例えばＷＩＦＩ、２Ｇ又は３Ｇ、又はそれらの組み合わせにアクセスできる。１つの例示的な実施例において、通信アセンブリ８０８は、ブロードキャストチャンネルを介して外部のブロードキャスト管理システムからのブロードキャスト信号又はブロードキャストに関する情報を受信することができる。１つの例示的な実施例において、前記通信アセンブリ８０８は、さらに、近距離通信を促進するために近距離無線通信（ＮＦＣ）モジュールを含んでもよい。ＮＦＣモジュールは、例えば、無線周波数識別（ＲＦＩＤ：Ｒａｄｉｏ  Ｆｒｅｑｕｅｎｃｙ  Ｉｄｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（ＢＴ：Ｂｌｕｅｔｏｏｔｈ）技術及び他の技術により実現されてもよい。
【０１１０】
例示的な実施例において、装置８００は、上述の方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサ（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子機器により実現されてもよい。
【０１１１】
例示的な実施例において、装置８００のプロセッサ８０９により実行されることにより上述の方法を実現可能なインストラクションが記憶される、且つコンピュータに読み取り可能な非一時的記録媒体、例えばインストラクションが記憶されているメモリ８０２を提供する。前記コンピュータに読み取り可能な非一時的記録媒体は、例えばＲＯＭ、ＲＡＭ、ＣＤ−ＲＯＭ、磁気テープ、フロッピー（登録商標）ディスク及び光データメモリ等であってもよい。
【０１１２】
移動端末のプロセッサが前記記録媒体中のインストラクションを実行することにより、移動端末に、通信事業者ネットワーク接続方法を実行させ、
前記方法は、
検出された通信事業者ネットワーク情報をサーバにアップロードするステップと、
前記サーバにより配布され、且つ前記通信事業者ネットワークに対応するローカル仮想ＳＩＭカードを受信するステップと、
前記ローカル仮想ＳＩＭカードに基づいて前記通信事業者ネットワークに接続するステップと、
を含む。
【０１１３】
当業者であれば、本願明細書を参照し、本願明細書に開示された発明を実施することにより、本発明の他の実施形態を容易に取得することができる。本願は、本発明の一般的な原理を遵守し且つ本願明細書に開示されていない当該技術分野の公知知識又は通常の技術手段を含む本発明に対する任意の変形、用途又は適応的な変更を含むことを趣旨とする。明細書及び実施例は、単に例示的なものに過ぎず、本発明の本当の範囲及び趣旨は添付される特許請求の範囲により示される。
【０１１４】
なお、本発明は、上述の説明及び図面により示された特定の構成に限定されず、その範囲を離脱しない範囲で、様々な補正及び変更を実施してもよい。本発明の範囲は、添付される特許請求の範囲のみにより限定される。 
【図１】
0006346711.tif 000002
【図２】
0006346711.tif 000003
【図３】
0006346711.tif 000004
【図４】
0006346711.tif 000005
【図５】
0006346711.tif 000006
【図６】
0006346711.tif 000007
【図７】
0006346711.tif 000008
【図８】
0006346711.tif 000009